(57)【要約】      （修正有）【課題】内容物による弾性体の腐食を防止し、水回りで使用した場合でも、内容物に水分や微生物の混入を防止できるポンプディスペンサーを提供する。【解決手段】容器の口部４のベースキャップ部５と、ベースキャップに垂下保持されるポンプ部６と、ベースキャップの上面側で前記ポンプ部のステムに連結されたノズルヘッド部７と、を有し、同ノズルヘッド部を上下動させることにより、ポンプ部を作動させて容器内の内容物を中空状のステム内部を介してノズルヘッド部より吐出させるポンプディスペンサーＡにおいて、ポンプ部は、内容物と非接触状態を保ちながらステム８を上方へ付勢する弾性体２５を備え、ベースキャップ部は、口部に止着される取付基部１０と、同取付基部の天面よりステムを囲繞する状態で上方へ立ち上がる筒状壁体１２と、を有し、ノズルヘッド部には、前記筒状壁体をさらに囲繞する筒状覆い体を垂設した。【選択図】図２
2010006418.tif 000002
【特許請求の範囲】
【請求項１】
容器の口部に固定保持されるベースキャップ部と、このベースキャップに垂下保持され容器内の内容物を吸引、加圧、圧送するポンプ部と、前記ベースキャップの上面側で前記ポンプ部のステムに連結されたノズルヘッド部と、を有し、同ノズルヘッド部を上下動させることにより、前記ポンプ部を作動させて容器内の内容物を中空状のステム内部を介してノズルヘッド部より吐出させるポンプディスペンサーにおいて、
前記ポンプ部は、内容物と非接触状態を保ちながら前記ステムを上方へ付勢する弾性体を備え、
前記ベースキャップ部は、前記口部に止着される取付基部と、同取付基部の天面より前記ステムを囲繞する状態で上方へ立ち上がる筒状壁体と、を有し、
前記ノズルヘッド部には、前記筒状壁体をさらに囲繞する筒状覆い体を垂設したことを特徴とするポンプディスペンサー。
【請求項２】
前記ベースキャップ部には、前記筒状壁体が一体的に形成されていることを特徴とする請求項１に記載のポンプディスペンサー。
【請求項３】
請求項１または請求項２に記載のポンプディスペンサーを備えた容器。
【発明の詳細な説明】
【技術分野】
【０００１】
本発明は、容器内に収容された内容物を吐出させるポンプディスペンサー及び同ポンプディスペンサーを備えた容器に関する。
【背景技術】
【０００２】
従来、容器内に収容された液状の内容物を注出するポンプディスペンサーは、専ら化粧料やシャンプー、リンス等の容器に設置されており、必要に応じてポンプ操作することで、ポンプ容量に応じた所定量を容器外に吐出させることができるようにしている（例えば、特許文献１参照。）。
【特許文献１】特開２０００−７０７７６号公報
【発明の開示】
【発明が解決しようとする課題】
【０００３】
しかしながら、上記従来のポンプディスペンサーでは、未だ下記のような問題を有するものであった。
【０００４】
すなわち、
（１）ポンプ内部に配設されている弾性体が内容物と接触する構造となっているため、弾性体が内容物によって腐食しやすい。
（２）同じく、ポンプ内部に配設されている弾性体が内容物と接触する構造となっているため、腐食した弾性体の破片が内容物とともに吐出されるおそれがある。
（３）口部に固定保持されるベースキャップ部を貫通するステム周囲に空隙が形成されているため、例えば、風呂や洗面所など水回りでポンプディスペンサーを使用した場合、内容物に水分が混入したり、内容物に雑菌が混入するいわゆるコンタミネーションが生じやすい。
という問題があった。
【０００５】
本発明は、斯かる事情に鑑みてなされたものであって、内容物による弾性体の腐食を防止することができ、しかも、水回りで使用した場合でも、内容物に水分や微生物がコンタミネーションをするのを防止できるポンプディスペンサーを提供する。また、同ポンプディスペンサーを備えた容器についても提供する。
【課題を解決するための手段】
【０００６】
上記従来の課題を解決するために、請求項１に記載のポンプディスペンサーでは、容器の口部に固定保持されるベースキャップ部と、このベースキャップに垂下保持され容器内の内容物を吸引、加圧、圧送するポンプ部と、前記ベースキャップの上面側で前記ポンプ部のステムに連結されたノズルヘッド部と、を有し、同ノズルヘッド部を上下動させることにより、前記ポンプ部を作動させて容器内の内容物を中空状のステム内部を介してノズルヘッド部より吐出させるポンプディスペンサーにおいて、前記ポンプ部は、内容物と非接触状態を保ちながら前記ステムを上方へ付勢する弾性体を備え、前記ベースキャップ部は、前記口部に止着される取付基部と、同取付基部の天面より前記ステムを囲繞する状態で上方へ立ち上がる筒状壁体と、を有し、前記ノズルヘッド部には、前記筒状壁体をさらに囲繞する筒状覆い体を垂設した。
【０００７】
また、請求項２に記載のポンプディスペンサーでは、前記ベースキャップ部には、前記筒状壁体が一体的に形成されていることを特徴とすることとした。
【０００８】
また、請求項３に記載の容器では、請求項１または請求項２に記載のポンプディスペンサーを備えることとした。
【発明の効果】
【０００９】
請求項１に記載のポンプディスペンサーでは、ポンプ部は、内容物と非接触状態を保ちながら前記ステムを上方へ付勢する弾性体を備え、ベースキャップ部は、口部に止着される取付基部と、同取付基部の天面より前記ステムを囲繞する状態で上方へ立ち上がる筒状壁体と、を有し、ノズルヘッド部には、前記筒状壁体をさらに囲繞する筒状覆い体を垂設したため、弾性体が内容物によって腐食するのを防止でき、しかも、腐食した弾性体の破片や、ポンプ外部から浸入する水分や、微生物等による内容物のコンタミネーションを効果的に防止することができる。
【００１０】
また、請求項２に記載のポンプディスペンサーでは、ベースキャップ部には、筒状壁体が一体的に形成されていることとしたため、ポンプ外部から浸入する水分や微生物等による内容物のコンタミネーションをより効果的に防止することができる。
【００１１】
また、請求項３に記載の容器では、請求項１または請求項２に記載のポンプディスペンサーを備えることとしたため、腐食した弾性体の破片や、ポンプ外部に付着した水分や、ポンプ外部に存在する微生物等が容器内の内容物にコンタミネーションすることを効果的に防止することができる。
【発明を実施するための最良の形態】
【００１２】
本発明は、容器の口部に固定保持されるベースキャップ部と、このベースキャップに垂下保持され容器内の内容物を吸引、加圧、圧送するポンプ部と、前記ベースキャップの上面側で前記ポンプ部のステムに連結されたノズルヘッド部と、を有し、同ノズルヘッド部を上下動させることにより、前記ポンプ部を作動させて容器内の内容物を中空状のステム内部を介してノズルヘッド部より吐出させるポンプディスペンサーにおいて、前記ポンプ部は、内容物と非接触状態を保ちながら前記ステムを上方へ付勢する弾性体を備え、前記ベースキャップ部は、前記口部に止着される取付基部と、同取付基部の天面より前記ステムを囲繞する状態で上方へ立ち上がる筒状壁体と、を有し、前記ノズルヘッド部には、前記筒状壁体をさらに囲繞する筒状覆い体を垂設したことを特徴とするポンプディスペンサーを提供するものである。
【００１３】
ここで、容器は、本発明に係るポンプディスペンサーで注出される液状の内容物を収容するものであり、例えば、所定の形状に成形した中空状のボトルや、可撓性素材により形成した袋状のいわゆるスタンディングパウチ等とすることができる。
【００１４】
また、内容物は、液状、ゲル状、スラリー状など、流動性を有し、ポンプディスペンサーで注出可能な（ポンプ部により吸引、加圧、圧送可能な）ものであれば特に限定されるものではなく、美容液、化粧液、保湿液等の化粧料や、シャンプー、リンス、洗浄料などあらゆるものとすることができる。なお、以下の説明において、これらの美容液、化粧液、保湿液等の化粧料や、シャンプー、リンス、洗浄料などを「製剤」という場合もある。
【００１５】
ところで、近年化粧料等を中心に、人体に使用する製剤には、微生物の繁殖を抑える静菌剤や製剤の経時変化を遅らせて保存性を向上させる保存料等の添加を避ける傾向がある。
【００１６】
これらの静菌剤や保存料は、製剤の使用者の体質等により、肌荒れやかぶれを引き起こすおそれがあるとされており、手肌の弱い使用者には、静菌剤や保存料を添加していない製剤が大変喜ばれている。
【００１７】
しかしながら、静菌剤や保存料が添加されていない製剤は、静菌剤や保存料を添加した製剤に比して品質が劣化しやすく、品質保持が困難となってしまう。
【００１８】
特に、ポンプディスペンサーを使用して注出する製剤の場合、ノズルヘッド部の上下動に伴って、ベースキャップ部とステムとの間に形成された間隙から水分が浸入したり、この間隙に繁殖した微生物が水分とともに内容物に混入したりして、品質劣化を著しく早めるおそれがあった。
【００１９】
そこで、本発明では、ベースキャップ部は、口部に止着される取付基部と、同取付基部の天面より前記ステムを囲繞する状態で上方へ立ち上がる筒状壁体と、を有し、ノズルヘッド部には、筒状壁体をさらに囲繞する筒状覆い体を垂設し、筒状壁体と筒状覆い体とを入れ子状に配することにより、例えば、ポンプディスペンサーの上方からシャワー状に水分が降り注いだ場合であっても、容器内部に水分が浸入し難い構成としている。
【００２０】
これにより、内容物が静菌剤や保存料が添加されていない製剤であっても、比較的長きに亘って、品質を保持することができるのである。
【００２１】
また、筒状壁体と、取付基部とは、一体的に形成することで、さらに水分や微生物の浸入を防止して内容物へのコンタミネーションを効果的に防ぐことができる。
【００２２】
また、本発明に係るポンプディスペンサーを容器に備えることにより、腐食した弾性体の破片や、ポンプ外部に付着した水分や、ポンプ外部に存在する微生物等が容器内の内容物にコンタミネーションすることを効果的に防止することができる。
【００２３】
以下、図面を参照しながら、本実施形態について更に詳細に説明する。
【００２４】
図１は、本実施形態に係るポンプディスペンサーＡを備えたポンプ付き容器１の一部断面図であり、図２は、本実施形態に係るポンプディスペンサーＡの一部拡大断面図である。
【００２５】
図１及び図２に示すように、本実施形態に係るポンプディスペンサーＡは、容器２の口部４に螺合させて配設しており、容器２の内部に収容された美容液３を取出し可能に構成している。
【００２６】
ポンプディスペンサーＡは、容器２の口部４に固定保持されるベースキャップ部５と、このベースキャップ部５に垂下保持され容器２内に収容された美容液３を吸引、加圧、圧送するポンプ部６と、前記ベースキャップ部５の上面側で前記ポンプ部６のステム８に連結されたノズルヘッド部７とで構成している。
【００２７】
ベースキャップ部５は、容器２の口部４に螺合させるためのネジ山を内周面に形成した取付基部10と、同取付基部10の上面11の略中央部に立設した中空状の筒状壁体12とで一体的に形成しており、内部には後述するポンプ部６のステム８を挿通させている。
【００２８】
ポンプ部６は、シリンダ13と同シリンダ13内に内蔵したピストン部材14とを備えている。
【００２９】
シリンダ13の上部には、係止フランジ15を形成しており、この係止フランジ15をベースキャップ部５の内周面上部に周方向へ向けて形成したフランジ嵌入溝16に嵌入することにより、ベースキャップ部５に対してポンプ部６を固定している。
【００３０】
また、シリンダ13の下部は先細状として狭隘部17を形成しており、同狭隘部17には、逆止弁として機能する弁球18を自由に移動可能な状態で配設している。
【００３１】
そして、シリンダの下端には、チューブ状の吸上管19を挿入固定しており、この吸上管19を容器２内に収容した美容液３中に入れて、吸上管19の吸上口20からポンプ部６へ美容液３を吸い上げるようにしている。
【００３２】
また、シリンダ13の内部上方には、シリンダ13の内径よりもやや径の小さい内筒24を挿入固定している。この内筒24は後に詳述するが、ポンプ部６に配設したコイルスプリング25の下端部を支える役割を有するものである。
【００３３】
一方、シリンダ13内に内蔵したピストン部材14は、円筒状のステム８と同ステム８の下端部に配設した摺動パッキン21と、ステム８の下端部開口22を閉塞したり開放する弁体23とを備えている。
【００３４】
摺動パッキン21は、使用者がノズルヘッド部７を押下することにより、ステム８の下降動作に伴ってシリンダ13の内壁に沿って水密的に下方へ摺動し、同摺動パッキン21とシリンダ13とで構成されるポンプ空間26内部に吸い上げられた美容液３を圧搾する役割を果たすものである。
【００３５】
弁体23は、摺動パッキン21により圧搾されたポンプ空間26内部の美容液３をステム８内部に送給する際には開放し、一方、ステム８内部に送給された美容液３がポンプ空間26へ逆流するのを防止するための弁である。
【００３６】
ステム８は、その上端部にノズルヘッド部７が取り付けられており、ポンプ空間26に吸い上げられた美容液３をノズルヘッド部７へ送給する管として機能する。
【００３７】
また、ステム８の上部近傍には、同ステム８を囲繞するスプリング収容壁27を形成しており、コイルスプリング25の上半部を収容するとともに、スプリング収容壁27の閉塞部28でコイルスプリング25と当接させている。
【００３８】
さらに、スプリング収容壁27の下端部には、同スプリング収容壁27の周方向に半径方向外方に向けてストッパ部29を形成している。また、前述の内筒24の内周面上部には、周方向に半径方向内方へ向けて係合凸部30を形成している。
【００３９】
そして、ステム８が上方向へ移動した際に、このストッパ部29と係合凸部30とが当接することにより、ステム８が内筒24から離脱するのを規制している。
【００４０】
そして、本発明に特徴的には、ステム８と内筒24との間に形成される空間と、ステム８とスプリング収容壁27との間に形成される空間との両方を併せてスプリング収容空間Ｖとし、このスプリング収容空間Ｖ内にステム８に囲繞させた状態でコイルスプリング25を収容している。
【００４１】
このコイルスプリング25は、圧縮バネとしており、前述のストッパ部29と係合凸部30とが当接した状態（ノズルヘッド部７が最も上昇した状態）で、弾性力を有するようにスプリング収容空間Ｖ内に収容されている。
【００４２】
すなわち、コイルスプリング25は、内筒24の底面と、スプリング収容壁27の閉塞部28とにより下端部及び上端部が支えられて伸縮が行われる。
【００４３】
ノズルヘッド部７は、ステム８の上端部に配設しており、ステム８の上端部に送られてきた美容液３を取出す取出し口の役割を有すると共に、ピストン部材14を下降動作させる際に、ステム８のステム開口32を手で塞ぐことなく押下可能とする役割を有している。
【００４４】
具体的には、ノズルヘッド部７は、ステム８の上端部に嵌着させる略円筒状のステム取付壁33と、同ステム取付壁33から側方へ向けて連通させて配設し、ステム取付壁33内に送給された美容液３を側方へ向けて送給するための吐出路34とを備えており、同吐出路34の端部は美容液３が吐出する吐出口35としている。
【００４５】
また、ノズルヘッド部７の上部を天面部36としており、使用者がピストン部材14を下降動作させる際に、ステム８のステム開口32を手で塞ぐことなく押下可能としている。
【００４６】
そして、ノズルヘッド部７に特徴的な構成として、ステム取付壁33を更に囲繞するように筒状覆い体37が備えられており、ステム取付壁33と筒状覆い体37との間を筒状壁体収容空間Ｗとしている。
【００４７】
この筒状壁体収容空間Ｗは、ノズルヘッド部７を押下した際に、筒状壁体12を収容する空間であり、次に図３を用いてその様子について説明する。
【００４８】
図３は、ノズルヘッド部７及びベースキャップ部５の上部近傍の断面を示しており、図３（ａ）はノズルヘッド部７を押下していない状態、図３（ｂ）はノズルヘッド部７を押下した状態を示している。
【００４９】
図３（ａ）にも示すように、ノズルヘッド部７を押下していない状態では、コイルスプリング25が伸張し、ステム８が上方へ押し上げられており、かつ、ストッパ部29と係合凸部30とが当接してさらなる上方への移動が規制されている状態となっている。
【００５０】
また、筒状覆い体37の下部と、筒状壁体12の上部とは、半径方向外方へ向けて一部重合するようにしている。それゆえ、ポンプディスペンサーＡに対してシャワーなどにより水が浴びせられた場合であっても、筒状壁体12とステム８との隙間を介して水が美容液３内に浸入する（コンタミネーションする）ことを防止できる。
【００５１】
次いで、ノズルヘッド部７の天面部36を押下すると、図３（ｂ）に示すように、ステム８がコイルスプリング25の弾性力に抗して押し下げられることとなる。
【００５２】
その際、筒状壁体収容空間Ｗには、筒状壁体12が挿入される。すなわち、筒状壁体12の上端部が、筒状壁体収容空間Ｗの深部に位置することとなるため、水の浸入をさらに防止することができる。
【００５３】
次に、図４（ａ）〜（ｅ）を用いて、ポンプ部６の動作について説明する。ここでは、説明の便宜上、ポンプ空間26には既に美容液３が充填されている状態としている。
【００５４】
まず、ノズルヘッド部７が押下されていない状態では、図４（ａ）に示すように、コイルスプリング25が伸張してステム８が上方へ押し上げられているため、弁体23は摺動パッキン21と密着し、かつ、摺動パッキン21自身も弁体23に押し上げられて内筒24の底部に押しつけられている。
【００５５】
なお、この状態において、摺動パッキン21の中心部近傍には、ステム８との間に遊び空間40が形成されるようにしている。この遊び空間40は、ステム８が下降動作する際に、摺動パッキン21と弁体23との間に隙間を形成するためのものであり、具体的には図４（ｂ）を用いて説明する。
【００５６】
次に、使用者がノズルヘッド部７を押下し始めると、コイルスプリング25の弾性力に抗してステム８が押し下げられ、ステム８が摺動パッキン21との間に形成された遊び空間40の分だけ下降する。
【００５７】
この動作に伴って、弁体23は摺動パッキン21から離隔して、摺動パッキン21と弁体23との間に、流入経路Ｒが形成される。
【００５８】
次いで、使用者がさらにノズルヘッド部７を押下すると、図４（ｃ）に示すように、ステム８は摺動パッキン21とともに下降動作する。この際、狭隘部17では弁球18が吸上管19への流路を塞ぐこととなるため、ポンプ空間26内に充填されている美容液３は圧力上昇の逃げ場を求めて流入経路Ｒを介してステム８内部へと流入する。
【００５９】
次に、使用者がノズルヘッド部７の押下を止めて手を離すと、スプリング収容空間Ｖに収容されたコイルスプリング25の弾性力により、ステム８の押上動作が開始される。
【００６０】
すると、図４（ｄ）に示すように、ステム８の先端に配設された弁体23は、再び摺動パッキン21に密着し、流入経路Ｒは閉塞される。
【００６１】
そして、図４（ｅ）に示すように、ステム８の上昇動作に伴って、摺動パッキン21は上方へ移動する。この際、ポンプ空間26内が陰圧となり、狭隘部17で流路を閉塞していた弁球18が浮遊して吸上管19から美容液３が吸い上げられることとなり、吸い上げられた美容液３はポンプ空間26内に充填されることとなる。
【００６２】
図４（ａ）〜（ｅ）を用いて説明してきたように、本実施形態に係るポンプディスペンサーＡの一連の吸上動作では、吸い上げた美容液３がスプリング収容空間Ｖに浸入しないため、コイルスプリング25（弾性体）が内容物によって腐食したり、腐食したコイルスプリング25の破片が内容物とともに吐出されることを防止できる。
【００６３】
次に、ポンプディスペンサーＡを備えたポンプ付き容器の他の実施形態について図５を用いながら説明する。なお、以下の説明において、前述のポンプ付き容器１の説明と重複する箇所については同じ符号を付している。
【００６４】
図５に示すポンプ付き容器50は、図１に示したポンプ付き容器１と基本的な構成を同じくしているが、容器51の容量と、容器51の口部４の直径と、ベースキャップ部５の直径とにおいて構成を異にしている。
【００６５】
このポンプ付き容器50は、容器51内に市販されている美容液３などの詰め替え用スタンディングパウチ52を収容可能としており、スタンディングパウチ52に充填されている美容液３を容器51へ移し替える手間を省くことができるようにしている。
【００６６】
また、容器51の肩部53は、容器51の外方へ向けてやや下り傾斜としているため、肩部53に水がたまることがなく、シャワー等により容器50に水が浴びせられた場合でも、口部４とベースキャップ部５との間から水分が浸入するのを防ぐことができる。
【００６７】
上述してきたように、本発明に係るポンプディスペンサーによれば、ポンプ部は、内容物と非接触状態を保ちながら前記ステムを上方へ付勢する弾性体を備え、ベースキャップ部は、口部に止着される取付基部と、同取付基部の天面より前記ステムを囲繞する状態で上方へ立ち上がる筒状壁体と、を有し、ノズルヘッド部には、前記筒状壁体をさらに囲繞する筒状覆い体を垂設したため、弾性体が内容物によって腐食するのを防止でき、しかも、腐食した弾性体の破片や、ポンプ外部から浸入する水分や、微生物等による内容物のコンタミネーションを効果的に防止することができる。
【００６８】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【図面の簡単な説明】
【００６９】
【図１】本実施形態に係るポンプ付き容器の断面説明図である。
【図２】本実施形態に係るポンプ付き容器の一部拡大断面図である。
【図３】本実施形態に係るポンプディスペンサーの一部拡大断面図である。
【図４】本実施形態に係るポンプディスペンサーの動きを示した説明図である。
【図５】他の実施形態に係るポンプ付き容器の断面説明図である。
【符号の説明】
【００７０】
１  ポンプ付き容器
２  容器
３  美容液
４  口部
５  ベースキャップ部
６  ポンプ部
７  ノズルヘッド部
８  ステム
10  取付基部
11  上面
12  筒状壁体
13  シリンダ
14  ピストン部材
21  摺動パッキン
24  内筒
25  コイルスプリング
27  スプリング収容壁
36  天面部
Ａ  ポンプディスペンサー
Ｒ  流入経路
Ｖ  スプリング収容空間
Ｗ  筒状壁体収容空間
【図１】
2010006418.tif 000003
【図２】
2010006418.tif 000004
【図３】
2010006418.tif 000005
【図４】
2010006418.tif 000006
【図５】
2010006418.tif 000007